(57)【特許請求の範囲】
【請求項１】
情報を格納したファイルの記憶位置が所定の表示形式で表示される表示画面をそれぞれ有する送信側情報処理装置および受信側情報処理装置の間で前記ファイルに格納されている情報を送受する情報伝達方法であって、
前記表示画面上の位置を指示するとともに記憶部を具備するポインティング装置を用い、前記情報処理装置と上記ポインティング装置との間でデータ通信を行なえるようになし、
（ａ）第１の伝送モードでは、
前記ポインティング装置が、当該ポインティングが指示した前記送信側情報処理装置の表示画面上のファイルの位置を検出して当該位置の情報を前記送信側情報処理装置に送信し、
前記送信側情報処理装置が、前記位置の情報を受信し、当該位置の情報に基づいて、前記送信側情報処理装置から前記ファイルに格納されている情報と前記情報がファイルに格納されている情報であることを示すフラグとを前記ポインティング装置に送信し、
前記ポインティング装置が、前記ファイルに格納されている情報と前記情報がファイルに格納されている情報であることを示すフラグとを受信して前記記憶部に記憶し、
前記ポインティング装置が、当該ポインティングが指示した前記受信側情報処理装置の表示画面内の所定の位置を検出して当該位置の情報を前記受信側情報処理装置に送信し、
前記ポインティング装置が、前記記憶部に記憶されている前記ファイルに格納されている情報と前記情報がファイルに格納されている情報であることを示すフラグとを前記受信側情報処理装置に送信し、
前記受信側情報処理装置が、前記位置の情報と、前記ファイルに格納されている情報と前記情報がファイルに格納されている情報であることを示すフラグとを受信し、当該位置の情報に対応した記憶位置に、前記ファイルに格納されている情報を記憶し、
（ｂ）第２の伝送モードでは、
前記ポインティング装置が、当該ポインティングが指示した前記送信側情報処理装置の表示画面上のファイルの位置を検出して当該位置の情報を前記送信側情報処理装置に送信し、
前記送信側情報処理装置が、前記位置の情報を受信し、当該位置の情報に基づいて、前記送信側情報処理装置から前記ファイルの記憶位置の情報と前記情報が前記ファイルの記憶位置の情報であることを示すフラグとを前記ポインティング装置に送信し、
前記ポインティング装置が、前記ファイルの記憶位置の情報と前記情報が前記ファイルの記憶位置の情報であることを示すフラグとを受信して前記記憶部に記憶し、
前記ポインティング装置が、当該ポインティングが指示した前記受信側情報処理装置の表示画面内の所定の位置を検出して当該位置の情報を前記受信側情報処理装置に送信し、
前記ポインティング装置が、前記記憶部に記憶されている前記ファイルの記憶位置の情報と前記情報が前記ファイルの記憶位置の情報であることを示すフラグとを前記受信側情報処理装置に送信し、
前記受信側情報処理装置が、前記ファイルの記憶位置の情報と前記情報が前記ファイルの記憶位置の情報であることを示すフラグとに基づいて前記送信側情報処理装置から前記ファイルに格納されている情報を所定の通信ネットワークを介して受け取って、前記位置の情報に対応した記憶位置に前記ファイルに格納されている情報を記憶し、
（ｃ）前記ポインティング装置から前記受信側情報処理装置に、前記情報がファイルに格納されている情報であることを示すフラグ、または、前記情報が前記ファイルの記憶位置の情報であることを示すフラグが送信され、前記情報がファイルに格納されている情報であることを示すフラグが送信されたときには、前記受信側情報処理装置は前記第１の伝送モードにより前記ポインティング装置から前記ファイルに格納されている情報を受信し、前記情報が前記ファイルの記憶位置の情報であることを示すフラグが送信されたときには、前記受信側情報処理装置は前記第２の伝送モードにより前記送信側情報処理装置から前記通信ネットワークを介して前記ファイルに格納されている情報を受信することを特徴とする情報伝達方法。
【請求項２】
請求項１記載の情報伝達方法において、
前記送信側情報処理装置および受信側情報処理装置と前記ポインティング装置との間で認証を行うことを特徴とする情報伝達方法。
【請求項３】
請求項１または２記載の情報伝達方法に用いる前記ポインティング装置であって、ペン状の形状を有することを特徴とするポインティング装置。
【請求項４】
請求項１または２記載の情報伝達方法に用いる前記ポインティング装置であって、前記フォルダに格納されている情報が所定のデータ量より大きい場合には前記第２の伝送モードによるデータ転送を選択し、前記フォルダに格納されている情報が所定のデータ量より大きくない場合には、前記第１の伝送モードによるデータ転送を選択することを特徴とするポインティング装置。
【発明の詳細な説明】
【０００１】
【発明の属する技術分野】
本発明は、移動体を含む、情報処理を行う計算システム上での情報伝達方法及びその装置に関する。
【０００２】
【従来の技術】
従来より公知のコンピュータシステム等の情報処理装置では、情報処理装置内部及びそれに接続された周辺機器に蓄積されている情報を他の情報処理装置に伝達しようとした場合には、以下のような処理／操作が必要であった。
【０００３】
まず一の情報処理装置に接続されているキーボード等から、伝達しようとしている情報の内容が記述されているファイルを入力するか、当該一の情報処理装置に接続されているマウス、タブレット、或いはトラックボール等のポインティングデバイスを用いて、当該一の情報処理装置の表示装置にアイコンやリストの形式で表示されているファイルを選択する。
【０００４】
次に、周辺機器として用いられているフロッピーディスク等の磁気記録媒体や、光磁気ディスク等の光磁気記録媒体、或いはＰＣＭＣＩＡ（ＰｅｒｓｏｎａｌＣｏｍｐｕｔｅｒ  Ｍｅｍｏｒｙ  Ｃａｒｄ  Ｉｎｔｅｒｆａｃｅ）規格のインターフェースで接続されるフラッシュメモリーカード、ＲＡＭカード等の半導体記録媒体に当該ファイルを複写する。
【０００５】
次に、情報を伝達しようとしている他の情報処理装置に上述の記録媒体を接続した後、当該他の情報処理装置に接続されている上述と同様の入力デバイスにより当該ファイルのファイル名を入力したり、当該ファイルのアイコン等を選択する。このようにして上記記録媒体に複写された情報を伝達している。
【０００６】
また、共立出版株式会社発行のＢｉｔ誌１９９５年９月号（Ｖｏｌ．２７，Ｎｏ．９）第１３頁〜第２１頁に記載されている記憶ペンは、圧力センサーとＣＣＤ素子を用いてペン入力する際の筆跡データ等を当該記憶ペンに接続可能な記憶装置に蓄積し、蓄積した画像を再現ソフトウエアを用いて再現して必要な情報を情報処理装置に伝達するようにしているが、この記憶ペンは、一の情報処理装置が蓄積している情報を他の情報処理装置に伝達する機能は有していない。
【０００７】
また、一の情報処理装置と他の情報処理装置がネットワーク等で接続されている場合には、まず例えばＵＮＩＸオペレーティングシステム（ＯＳ）のファイル転送プロトコルであるＦＴＰ、ＳＭＴＰ、ＮＮＴＰ、ＨＴＴＰ等を利用するアプリケーションプログラムを起動する。
【０００８】
そして、プログラム中で転送の相手先を指定し、相手先の情報処理装置に使用者名やパスワード等を入力してログオンし、転送先の所定のディレクトリに対して上述のようなファイル選択を行って情報の転送を行うようにしている。
【０００９】
なお、上述のＦＴＰはＩｎｔｅｒｎｅｔ  ＲＦＣ９５９に、ＳＭＴＰはＩｎｔｅｒｎｅｔ  ＲＦＣ８２１に、ＮＮＴＰはＩｎｔｅｒｎｅｔ  ＲＦＣ９７７に、ＨＴＴＰはＢｅｒｎｅｒｓ−Ｌｅｅ，  Ｔ．，  ”Ｈｙｐｅｒｔｅｘｔ  Ｔｒａｎｓｆｅｒ  Ｐｒｏｔｏｃｏｌ  （ＨＴＴＰ）”，  ＣＥＲＮ，  Ｄｅｃｅｍｂｅｒ  １９９１  ＜ｆｔｐ：／／ｉｎｆｏ．ｃｅｒｎ．ｃｈ／ｐｕｂ／ｗｗｗ／ｄｏｃ／ｈｔｔｐ−ｓｐｃ．ｔｘｔ＞にそれぞれ記述されている。
【００１０】
【発明が解決しようとする課題】
このような従来の情報伝達手段においては、使用者の行うべき操作が複雑であり、情報処理システムの使用に習熟していない使用者に対しては十分なユーザインターフェースを提供しているとは言えないの現状である。
【００１１】
さらに、情報処理装置がネットワークで接続されてる場合には、情報の秘匿性を高めるために情報を暗号化して送信する上で操作上の煩雑さが増大するという問題もある。また、従来の記録媒体での情報の伝達においても、当該記録媒体が第三者の手に渡ってしまえば自由に情報を入手しうるという問題もある。
【００１２】
本発明の目的は、使用者の行うべき操作を簡略化し情報処理システムの使用に習熟していない使用者に対しても簡便なユーザインターフェースを実現した情報伝達方法及び装置を提供することにある。
【００１３】
また、本発明の目的は、装置の大きさを大きくすることなく、大容量の情報の転送ができる情報伝達装置を提供することにある。
【００１４】
さらに本発明の目的は、情報を解読するための暗号化の鍵情報をネットワークに流すことなく情報の転送先に受け渡すことを可能とし、第三者のネットワーク上での情報パケット取得による情報漏洩を防止して情報の転送を行うことができる情報伝達方法及び装置を提供することにある。
【００１５】
【課題を解決するための手段】
上記目的は、情報を格納したファイルが所定の表示形式で表示される表示画面を有する情報処理装置に対して情報を送受する情報伝達方法であって、情報処理装置の表示画面上のファイルの位置を検出し、検出された位置に基づいて、情報処理装置からファイルの情報を受信し、受信した情報を記憶することを特徴とする情報伝達方法によって達成される。さらに、情報処理装置又は他の情報処理装置の表示画面内の所定の位置を指定して、記憶した情報を情報処理装置又は他の情報処理装置に送信することを特徴とする情報伝達方法によって達成される。
【００１６】
又上記目的は、情報を格納したファイルが所定の表示形式で表示される表示画面を有する情報処理装置に対して情報を送受する情報伝達方法であって、一の情報処理装置の表示画面上のファイルの位置を検出し、検出された位置に基づいて、一の情報処理装置からファイルのインデックス情報を受信し、受信したインデックス情報を記憶し、一の情報処理装置とネットワークで接続された他の情報処理装置の表示画面内の所定の位置を指定して、記憶したインデックス情報を他の情報処理装置に送信し、一の情報処理装置のファイルの情報は、ネットワークを介して他の情報処理装置に転送することを特徴とする情報伝達方法によって達成される。
【００１７】
又さらに上記目的は、上記の情報伝達方法において、各情報処理装置との間で認証を行うことを特徴とする情報伝達方法によって達成される。
【００１８】
又上記目的は、情報を格納したファイルが所定の表示形式で表示される表示画面を有する情報処理装置に対して情報を送受する情報伝達装置であって、表示画面上のファイルの位置を検出する位置検出部と、検出された位置に基づいて、情報処理装置からファイルの情報を受信する通信装置と、受信した情報を記憶する記憶装置とを備えたことを特徴とする情報伝達装置により達成される。さらに、情報伝達装置において、情報処理装置との認証を行う認証装置を有することを特徴とする情報伝達装置によって達成される。
【００１９】
【発明の実施の形態】
本発明の第１の実施の形態としての情報伝達方法及び装置を図１乃至図３を用いて説明する。
【００２０】
まず、第１の実施の形態としての情報伝達装置の構成を図１を用いて説明する。情報伝達装置１００３は、中央処理装置（ＣＰＵ）及びＣＰＵで動作させられるソフトウエアを含む情報処理部２００２を有している。さらに、情報伝達装置１００３の位置を検出する位置検出部２００３、外部との通信を行う通信装置２００５、及び情報を記録する記憶装置２００４とを有しており、これらはバス等の装置内通信路２００６で相互に接続されている。情報伝達装置１００３の形状は図示はしないが、例えばペン形状等であり、ペン先端の接触部を画面等に接触させることにより位置検出などを行うことができるようになっているものである。
【００２１】
図２を用いてコンピュータシステム等の情報処理装置１００４から情報伝達装置１００３に情報を送る場合について説明する。まず、情報処理装置１００４に接続されている表示装置の表示画面１００１上に表示されたアイコン１００２が伝達すべき所望の情報を示しているとする。ペン形状の情報伝達装置１００３の接触部を所望のアイコン１００２を表示している表示画面１００１に接触させて指定することにより、表示画面１００１上のアイコン１００２の位置情報或いは、表示画面１００１を座標基準とした場合の情報伝達装置１００３の位置が、情報伝達装置１００３に内蔵された位置検出部２００３により検出される。
【００２２】
検出された位置情報は情報伝達装置１００３の装置内通信路２００６を介して記憶装置２００４に伝えられ、情報処理部２００２により情報処理装置１００４との通信に適した形式に処理される。処理された位置情報は通信装置２００５を介して情報処理装置１００４側の通信装置１００５に送られる。
【００２３】
情報処理装置１００４側に送られた位置情報に基づいて、情報処理装置１００４の情報処理部１００７は、当該アイコンの有する情報を記憶している記憶装置１００６から指定された情報を出力させ、装置内通信路１００８及び通信装置１００５を介して情報伝達装置１００３側の通信装置２００５に情報を伝達する。
【００２４】
情報伝達装置１００３側の通信装置２００５に伝達された情報は、情報処理部２００２に管理されうる形式で記憶装置２００４に記憶される。
【００２５】
図３は、情報伝達装置１００３により、情報を出力する側である一の情報処理装置１００４ａから情報を受け取る側である他の情報処理装置１００４ｂに所定の情報を伝達する場合を示している。図２を用いて説明したと同様に情報処理装置１００４ａから所定の情報が情報伝達装置１００３の記憶装置２００４に記憶されているとする。情報伝達装置１００３から情報処理装置１００４ｂに情報を伝達する場合には、情報伝達装置１００３の接触部により、情報処理装置１００４ｂに接続された表示装置の表示画面１００１ｂ上のアイコンが表示されていない領域を指定すると、表示画面１００１ｂを基準とした場合の情報伝達装置１００３の位置が位置検出部２００３により検出される。
【００２６】
検出された位置情報は情報伝達装置１００３側の装置内通信路２００６を介して記憶装置２００４に伝えられ、情報処理部２００２により情報処理装置１００４ｂとの通信に適した形式に処理される。処理された位置情報は通信装置２００５を介して情報処理装置１００４ｂ側の通信装置１００５に送出される。
【００２７】
このとき情報伝達装置１００３側の記憶装置２００４に記憶された、情報処理装置１００４ａから情報伝達装置１００３に伝達された所定の情報は、上記の位置情報とともに情報伝達装置１００３側の記憶装置２００４から装置内通信路２００６と通信装置２００５を介して情報処理装置１００４ｂ側の通信装置１００５に送られる。
【００２８】
情報処理装置１００４ｂに送られた位置情報によって情報処理部１００７は情報伝達装置１００３から伝達するように指定された位置に、所定の情報を情報処理装置１００４ｂが簡易できる形式で記憶手段１００６に記憶する。
【００２９】
こうすることにより、一の情報処理装置から他の情報処理装置へ所定の情報を伝達する際に、操作者の行うべき操作は従来に比較して格段に簡約化することができるようになる。従って、情報処理システムの使用に習熟していない使用者でも用意に取り扱うことができる簡便なユーザインターフェースを実現できる。
【００３０】
上記実施の形態において、通信装置１００５、２００５における通信手段としては、有線電気伝導線、有線光伝導線、電磁波、可視光、赤外線、紫外線、レーザ光、誘導電流、音波または超音波、振動等を利用することができる。
【００３１】
有線電気伝導線については、ＰＣＭＣＩＡで規定されるカードバスのように同時に複数の信号を転送し得るバス形式であってもよいし、セントロニクスのように信号をパラレルデータとして転送するものでもよいし、ＲＳ−２３２Ｃ、ＲＳ−４２２のように信号をシリアルデータとして転送するものでもよい。複数の信号を転送し得るバス形式としてＧＰ−ＩＢ、ＨＰ−ＩＢ、ＳＣＳＩ、ＰＣＩなども利用することができる。信号をシリアルデータとして転送するものとしてイーサネットの規格である、１０ＢＡＳＥ−Ｔ、１０ＢＡＳＥ２、１０ＢＡＳＥ５、１００ＢＡＳＥ−Ｔ等も利用可能である。有線電気伝導線は単数もしくは複数の金属接点でも実現可能である。
【００３２】
有線光伝導線としては、光ファイバを利用することができ、ＲＳ−２３２ＣやＲＳ−４２２のような信号をＬＥＤのような電気−光変換素子で光信号に変換し、材質がガラスやプラスチックである光ファイバで伝達することにより実現可能である。また、複数の光信号を光ファイバのマルチモード転送を利用して伝達することも可能である。
【００３３】
通信手段として電磁波を用いる場合には、シリアル化された信号を、単独の搬送波に、周波数変調、振幅変調、或いは位相変調させて通信させることにより実現できる。また、スプレッドスペクトラム通信方式を利用して通信を行うことや複数の信号を複数の搬送周波数を用いて通信を行うことも可能である。
【００３４】
可視光／赤外光／紫外光を用いる場合には、シリアル化された信号に振幅変調を行うことにより通信させることができる。また、送信側にそれぞれ異なった複数の波長の複数の光源を持たせ、受信側にもそれぞれ異なった複数の波長に対して感度の異なる受光素子を用いることにより、同時に複数の信号で通信を行わせることも可能である。また、発光部分とそれに対応する受光部分の組で構成される通信路を複数用いる形式で、それぞれの通信路の間で光の漏れが許容限度以下であるならば、上記の通信路でそれぞれ用いる光源は同一の波長であっても問題ない。レーザ光を用いる場合には、シリアル化された信号に位相変調や振幅変調を行うことにより通信させることができる。
【００３５】
誘導電流を用いる場合には、シリアル化された信号に振幅変調を行わせて通信をさせることができる。また、誘導を行う部分とそれに対応する誘導される部分の組で構成される通信路を複数用いる形式で、それぞれの通信路簡での誘導電流の漏れが許容限度以下であるならば上記の誘導電流通信路を複数用いる形式でも実現可能である。
【００３６】
上記実施の形態において、位置検出手段としては、情報伝達装置１００３側の位置検出部２００３に光学的位置検出手段、圧力を利用した位置検出手段、音波または超音波を利用した位置検出手段、振動を利用した位置検出手段、電磁誘導を利用した位置検出手段等を用いることができる。また、情報処理装置１００４側に同様な位置検出手段を設けてもよい。
【００３７】
以上のように本実施の形態の情報伝達装置は、情報処理装置のディスプレイにアイコンやリストの形式で表示されているファイルを選択するためのポインティングデバイスと記録媒体とを一体化させたものと言うことができる。そして、ポインティングデバイス本来の機能である位置検出手段、情報処理装置との間の通信手段、及び伝達されるべき情報を記憶する記憶手段を有し、これらを制御する情報処理部及びこれらを接続する通信路で構成されている。この構成により上述のように、一の情報処理装置のディスプレイにアイコンやリストの形式で表示されているファイルを選択することにより、ファイルの表示上の位置情報を通信手段を介して記憶手段に格納することができる。そして、情報伝達装置の位置検出手段により他の情報処理装置のディスプレイ上で位置を指定することにより、当該他の情報処理装置に情報伝達装置の記憶手段に記憶された当該情報を複写することができるようになる。
【００３８】
次に本発明の第２の実施の形態としての情報伝達方法及び装置を図４を用いて説明する。図４に示すとおり、複数の情報処理装置１０４４ａ、１０４４ｂがサーバ４００６とともにネットワーク４００５上に接続されている。
【００３９】
本実施の形態は、上記第１の実施の形態と比較して、情報伝達装置１００３の記憶装置２００４に一時的に記憶される情報が情報処理装置１００４に蓄積されている情報のインデックス情報である点で異なっている。そして、インデックス情報が指し示す本来必要な情報は、情報伝達装置１００３を介さずに、情報処理装置１００４ａ、１００４ｂが接続されているネットワークを介して転送される点に特徴を有している。
【００４０】
情報伝達装置１００３の記憶装置２００４に記憶された情報処理装置１００４ａからのインデックス情報は、情報伝達装置１００３を情報処理装置１００４ｂの表示画面１００１ｂの所定位置に接触させることにより、情報処理装置１００４ｂ側に複写される。複写されたインデックス情報に基づき、情報処理装置１００４ｂは、例えばＵＮＩＸ  オペレーティングシステムのファイル転送プロトコルであるＦＴＰ、ＳＭＴＰ、ＮＮＴＰ、ＨＴＴＰ等を利用するアプリケーションプログラムを起動し、インデックス情報により指定された転送の相手先から情報の転送処理を行う。このときログインのための使用者名やパスワード等はインデックス情報を情報伝達装置１００３が取得する際に、情報処理装置１００４ａと情報伝達装置１００３の間で設定されているようにすることで実現できる。
【００４１】
インデックス情報としては、Ｉｎｔｅｒｎｅｔ  ＲＦＣ７９１に記述されているＩＰアドレスまたはＩｎｔｅｒｎｅｔ  ＲＦＣ１０３４およびＲＦＣ１０３５に記述されているＤＮＳにより解釈されるホスト名と相対パス名や絶対パス名等により指示されるファイルシステム中の対象となる情報の位置などを用いることができる。
【００４２】
本実施の形態によれば、一般にインデックス情報は伝達したい情報よりも小容量であるため、情報処理装置１００４ａから情報処理装置１００４ｂに伝達したい情報の大きさが情報伝達装置１００３の記憶装置２００４の容量よりも大きい場合でも、記憶装置２００４の記憶容量による制限を受けることがない。従って、記憶装置２００４の容量は、インデックス情報を記憶するのに十分な容量さえ有ればよいことになり、機器の小型化・軽量化が図れるとともに、情報伝達装置１００３の製造コストを低減させることも可能になる。
【００４３】
次に本発明の第３の実施の形態としての情報伝達方法及び装置を図５及び図６を用いて説明する。本実施の形態における情報伝達方法及び装置は、情報伝達装置１００３の記憶装置２００４に一時的に記憶される情報が、伝達されるべき情報の暗号化及び暗号解読化のための鍵情報である点において、前述の実施の形態と異なる。そして、前述の情報伝達装置の構成に上記鍵情報による暗号の解読、または鍵情報による認証機能を有する認証手段が付加された点に特徴を有してる。
【００４４】
図５は、本実施の形態における情報伝達装置５００３の構成を示すブロック図である。情報伝達装置５００３は前述の実施の形態における情報伝達装置１００３に認証装置６００７が付加されたものである。図６には、２本の情報伝達装置５００３ａ、５００３ｂと情報処理装置１００４が示されている。
【００４５】
情報処理装置１００４と情報伝達装置５００３との間での認証を行う認証装置６００７の認証手段としては、非公開鍵暗号化方式、公開鍵暗号化方式、またはそれら双方の方式を利用することができる。非公開鍵暗号化方式と公開鍵暗号化方式に関しては「暗号・ゼロ知識証明・数論」（共立出版発行：ＩＳＢＮ４−３２０−０２７４０−Ｘ）及び当該文献に記載の参考文献中に記載されている。
【００４６】
本実施の形態の情報伝達方法及び装置によれば、複数の情報処理装置がネットワークなどで接続されている場合でも情報を解読するための暗号化の鍵情報をネットワーク上に流すことがないので、ネットワークを介して転送される情報がネットワーク上で第三者に取得されるようなことがあっても情報の内容の漏洩を防止することができる。さらに、複数の情報伝達装置５００３ａ、５００３ｂがある場合でも情報伝達装置毎に固有の情報伝達装置識別情報を与え、情報処理装置へのアクセス制御を鍵情報により行うことにすれば、第三者に情報伝達装置５００３が取得されてしまったとしても、他の情報処理装置では情報伝達装置にアクセスすることができないので、情報伝達装置内の記憶装置に記憶された鍵情報により解読される情報内容の漏洩を防止することができる。
【００４７】
次に上記３つの実施形態における情報処理装置と情報伝達装置とのアクセスのフローを図７乃至図１１を用いて説明する。
【００４８】
図７は情報処理装置（図７中、Ｈｏｓｔと示す。以下同じ）１００４ａから情報伝達装置（図７中Ｐｅｎと示す。以下同じ）１００３、５００３（以下１００３と略す）へ情報を転送する際の情報処理装置１００４側の処理全体の流れを示す図である。
【００４９】
まず、ステップＳ１０で情報伝達装置１００３が情報処理装置１００４の表示画面１００１に接触したかどうかが判断され、接触したと判断されれば、情報伝達装置１００３にＡｃｋを送出して情報伝達装置１００３のＩＤとＰｒｏｆｉｌｅの問い合わせを行い（ステップＳ２０）、問い合わせの結果を待つ（ステップＳ３０）。なおステップＳ３０に示すループにおいては、ここでタイムアウトした場合にはエラー表示を行って異常終了させる動作を含んでいるものとする。同様にこれ以降のフローを示す図におけるループも信号待ち或いはデータ待ちの状態でタイムアウトした場合はエラー表示を行った後異常終了しスタートに戻る動作を含んでいるものとする。
【００５０】
Ｐｒｏｆｉｌｅの情報は、以下の表１に示されるような内容である。
【００５１】
【表１】
0003821510.tif 000002
ステップＳ４０で所定時間後タイムアウト（ＴｉｍｅＯｕｔ）したかが判断され、タイムアウトしたらスタート（ＳＴＡＲＴ）に戻り、タイムアウトしなければ表示画面１００１に接触した情報伝達装置１００３がアクセス権のあるＩＤを有しているかを判断する（ステップＳ５０）。アクセス権がなければエラー通知を行って（ステップＳ６０）スタートに戻る。アクセス権があれば、情報伝達装置１００３に対してＡｃｋを送出して（ステップＳ７０）情報伝達装置１００３側の受入許可信号を待つ（ステップＳ８０）。タイムアウトの状態を調べ（ステッＳ９０）、タイムアウトしたらエラー通知を出して（ステップＳ１１０）スタートに戻る。タイムアウトしなければ、必要な情報のデータ（Ｄａｔａ）送出を行い（ステップＳ１００）データ送出終了を待って（ステップＳ１２０）データ送出終了信号（Ｅｎｄ  Ｏｆ  Ｄａｔａ）を送出し（ステップ１４０）、情報伝達装置１００３からのチェックサム（ＣｈｅｃｋＳｕｍ）受入待ちに入る（ステップＳ１５０）。チェックサム受入がタイムアウトしたかどうかを判断して（ステップＳ１６０）、タイムアウトしたらエラー通知を出して（ステップＳ１７０）スタートに戻る。タイムアウトしていなければチェックサムが正しいかどうかを判断し（ステップＳ１８０）、正しければＡｃｋを送出して（ステップＳ１９０）、情報伝達装置１００３からのＡｃｋを受け取って処理が終了する。
【００５２】
このようにして、情報処理装置１００４側では、表示画面１００１に接触した情報伝達装置１００３が適切なアクセス権を有しているかを判断し、アクセス権が有ると判断したら必要な情報を送出するようにしている。
【００５３】
次に、図８を用いて情報処理装置１００４から情報伝達装置１００３へ情報を転送する際の情報伝達装置１００３側の処理全体の流れを説明する。
【００５４】
まず、ステップＳ１０において情報伝達装置１００３で情報処理装置１００４の表示画面１００１に接触して、情報処理装置１００４からのＡｃｋが返ってくるのを待つ（ステップＳ２０）。Ａｃｋが返ってきたら情報伝達装置１００３のＩＤとＰｒｏｆｉｌｅを送出し（ステップＳ３０）、Ａｃｋまたはエラー通知の入力を待つ（ステップＳ４０）。ステップＳ５０でエラー通知が返ってきたらエラー表示を行い（ステップＳ６０）、異常終了する（ステップＳ７０）。
【００５５】
ステップＳ５０でＡｃｋが返ってきたのであれば、情報伝達装置１００３側の受入許可信号を送出し（ステップＳ８０）、情報処理装置１００４からの必要な情報のデータの出力を待つ（ステップＳ９０）。
【００５６】
データの受入が開始されたら（ステップＳ１００）、情報処理装置１００４からのデータ送出終了信号（Ｅｎｄ  Ｏｆ  Ｄａｔａ）の出力を待つ（ステップ１１０）。受け取ったデータのチェックサム（ＣｈｅｃｋＳｕｍ）を計算して（ステップｓ１２０）、チェックサムの結果を送出する（ステップＳ１３０）。
【００５７】
データが正しく転送された場合のＡｃｋの受入待ちをし（ステップＳ１４０）、Ａｃｋがきたら情報伝達装置１００３からＡｃｋを送出して（ステップＳ１５０）処理が終了する。
【００５８】
次に、図９は情報伝達装置１００３から情報処理装置１００４ｂへ情報を転送する際の情報伝達装置１００３側の処理全体の流れを示している。
【００５９】
まず、ステップＳ１０において情報伝達装置１００３で情報処理装置１００４の表示画面１００１に接触して、情報処理装置１００４からのＡｃｋが返ってくるのを待つ（ステップＳ２０）。Ａｃｋが返ってきたら情報伝達装置１００３のＩＤとＰｒｏｆｉｌｅを送出し（ステップＳ３０）、Ａｃｋまたはエラー通知の入力を待つ（ステップＳ４０）。ステップＳ５０でエラー通知が返ってきたらエラー表示を行い（ステップＳ６０）、異常終了する（ステップＳ７０）。
【００６０】
ステップＳ５０でＡｃｋが返ってきたのであれば、情報伝達装置１００３から必要な情報のデータを送出する（ステップＳ８０）。
【００６１】
データの送出が終了したら（ステップＳ９０）、データ送出終了信号（ＥｎｄＯｆ  Ｄａｔａ）を送出する（ステップ１００）。情報処理装置１００４からのチェックサム（ＣｈｅｃｋＳｕｍ）を受け入れて（ステップｓ１１０）、チェックサムの結果が正しいかどうかを判断する（ステップＳ１２０）。チェックサムが正しければＡｃｋを送出して（ステップＳ１５０）、情報処理装置１００４からのＡｃｋを受け取って処理が終了する。チェックサムが正しくなければ、エラー表示を行い（ステップＳ１３０）、異常終了する（ステップＳ１４０）。
【００６２】
次に、図１０を用いて情報伝達装置１００３から情報処理装置１００４ｂへ情報を転送する際の情報処理装置１００４側の処理全体の流れを説明する。
【００６３】
まず、ステップＳ１０で情報伝達装置１００３が情報処理装置１００４の表示画面１００１に接触したかどうかが判断され、接触したと判断されれば、情報伝達装置１００３にＡｃｋを送出して情報伝達装置１００３のＩＤとＰｒｏｆｉｌｅの問い合わせを行い（ステップＳ２０）、問い合わせの結果を待つ（ステップＳ３０）。
【００６４】
ステップＳ４０で所定時間後タイムアウトしたかが判断され、タイムアウトしたらスタートに戻り、タイムアウトしなければ表示画面１００１に接触した情報伝達装置１００３がアクセス権のあるＩＤを有しているかを判断する（ステップＳ５０）。アクセス権がなければエラー通知を行って（ステップＳ６０）スタートに戻る。アクセス権があれば、情報伝達装置１００３に対してＡｃｋを送出して（ステップＳ７０）必要な情報のデータ（Ｄａｔａ）の受入待ちとなる（ステップＳ８０）。データの受入を行い（ステップＳ９０）、データ送出終了信号（Ｅｎｄ  Ｏｆ  Ｄａｔａ）の受入待ち状態になる（ステップ１００）。
【００６５】
受け取ったデータのチェックサムを計算して（ステップＳ１１０）、チェックサムの結果を送出する（ステップＳ１２０）。
【００６６】
データが正しく転送された場合のＡｃｋの受入待ちをし（ステップＳ１３０）、Ａｃｋが返ってきたら情報処理装置１００４からＡｃｋを送出して（ステップＳ１４０）処理が終了する。
【００６７】
図１１を用いて、上記第２或いは第３の実施の形態における情報処理装置１００４の動作を説明する。これは情報伝達装置１００３の記憶装置２００４の記憶容量が、情報処理装置１００４から転送される情報量より小さい場合の処理にも対応している。
【００６８】
情報処理装置１００４から情報伝達装置１００３に情報を転送する場合、情報伝達装置１００３から送出されるプロファイル（Ｐｒｏｆｉｌｅ）によって情報処理装置１００４側は情報伝達装置１００３に送出する情報（データ）のヘッダ（Ｈｅａｄｅｒ）とデータ本体とを変更する。また、情報伝達装置１００３から情報処理装置１００４側に情報を転送する場合、情報伝達装置１００３側から送出されるプロファイルによって情報処理装置１００４側は転送処理を変更する。プロファイルとヘッダ内の情報は前掲の表１に示されている。
【００６９】
図１１において、情報処理装置１００４は、情報伝達装置１００３からのＩＤとプロファイルの受入待ちを行い（ステップＳ１０）、ＩＤとプロファイルを受け取ったら情報処置装置１００４に対するアクセス権を当該情報伝達装置１００３が有しているか等のチェックを行う（ステップＳ２０）。プロファイルのチェックにより、情報処理装置１００３から情報伝達装置１００３に対してデータを転送するのか、情報処理装置１００４に対してデータが転送されてくるのかが判断される（ステップＳ３０）。
【００７０】
情報処理装置１００４から情報伝達装置１００３に情報を転送する場合（Ｈｏｓｔ  ｔｏ  Ｐｅｎ（Ｒｅａｄ））にはさらに、プロファイルから情報伝達装置１００３の記憶装置２００４の記憶容量が転送すべきデータの容量と比較して大きいかどうかが判断される（ステップＳ４０）。記憶装置２００４の記憶容量が十分であれば送出データをデータ本体として（ステップＳ５０）、Ａｃｋと転送データのサイズを送出し（ステップ７０）、メインルーチンにおいて送出するデータがデータ本体であることを示すヘッダとともに、データ本体を転送する。
【００７１】
記憶装置２００４の記憶容量が転送データのサイズより小さい場合は、送出データをデータの位置情報として（ステップＳ６０）、Ａｃｋと転送データのサイズを送出し（ステップ７０）、メインルーチンにおいて送出するデータがデータの位置情報であることを示すヘッダとともに、データの位置情報を転送する。
【００７２】
ステップＳ３０において、情報伝達装置１００３から情報処理装置１００４に情報が転送されてくると判断された場合（Ｐｅｎ  ｔｏ  Ｈｏｓｔ  （Ｗｒｉｔｅ））にはさらに、プロファイルから情報伝達装置１００３から送出されるデータがデータ本体かデータの位置情報かが判断される（ステップＳ８０）。データ本体の転送であればそのままメインルーチンに戻る（ステップＳ９０）。位置情報の転送であると判断されればメインルーチンに戻ってから、位置情報の転送後にその位置情報を元にデータ本体の転送が例えばネットワークを介して行われる（ステップＳ１００）。
【００７３】
【発明の効果】
以上の通り、本発明によれば、情報伝達における使用者の行うべき操作を簡略化し情報処理システムの使用に習熟していない使用者に対しても簡便なユーザインターフェースを実現することができる。
【００７４】
また、装置の大きさを大きくすることなく、大容量の情報の転送ができる情報伝達装置を実現することができる。
【００７５】
さらに、情報を解読するための暗号化の鍵情報をネットワークに流すことなく情報の転送先に受け渡すことが可能であるため、第三者のネットワーク上での情報パケット取得による情報漏洩を防止しつつ情報の転送を行うことができる情報伝達方法及び装置を実現できる。
【図面の簡単な説明】
【図１】本発明の第１の実施の形態における情報伝達装置の構成を示す図である。
【図２】本発明の第１の実施の形態における情報伝達方法を示す図である。
【図３】本発明の第１の実施の形態における情報伝達方法を示す図である。
【図４】本発明の第２の実施の形態における情報伝達方法を示す図である。
【図５】本発明の第３の実施の形態における情報伝達装置の構成を示す図である。
【図６】本発明の第３の実施の形態における情報伝達方法を示す図である。
【図７】本発明の第１乃至第３の実施の形態における情報伝達装置及び情報処理装置による処理の流れを示す図である。
【図８】本発明の第１乃至第３の実施の形態における情報伝達装置及び情報処理装置による処理の流れを示す図である。
【図９】本発明の第１乃至第３の実施の形態における情報伝達装置及び情報処理装置による処理の流れを示す図である。
【図１０】本発明の第１乃至第３の実施の形態における情報伝達装置及び情報処理装置による処理の流れを示す図である。
【図１１】本発明の第１乃至第３の実施の形態における情報伝達装置及び情報処理装置による処理の流れを示す図である。
【符号の説明】
１００１  表示画面
１００２  アイコン
１００３  情報伝達装置
１００４  情報処理装置
１００５  通信装置
１００６  記憶装置
１００７  情報処理部
１００８  装置内通信路
２００２  情報処理部
２００３  位置検出部
２００４  記憶装置
２００５  通信装置
２００６  装置内通信路
４００５  ネットワーク
４００６  サーバー
５００３  情報伝達装置
６００７  認証装置
【図１】
0003821510.tif 000003
【図２】
0003821510.tif 000004
【図３】
0003821510.tif 000005
【図４】
0003821510.tif 000006
【図５】
0003821510.tif 000007
【図６】
0003821510.tif 000008
【図７】
0003821510.tif 000009
【図８】
0003821510.tif 000010
【図９】
0003821510.tif 000011
【図１０】
0003821510.tif 000012
【図１１】
0003821510.tif 000013